(57)【要約】【課題】  大小２つのカメラモジュールに対して１つのモジュール用コネクタを兼用することのできる、カメラモジュールとモジュール用コネクタの接続構造を提供すること。【解決手段】  モジュール用コネクタ１は、第１カメラモジュール１００と接続する場合には図１（a）のように第１カメラモジュール１００を収容し、第２カメラモジュール２００と接続する場合には図１（ｂ）のように第２シールドケース２０を介在して第２カメラモジュール２００を収容する収容凹部３４が形成された絶縁ハウジング３と、第１カメラモジュール１００の収容時には第１カメラモジュール１００の端子と弾性接触し、第２カメラモジュール２００の収容時には第２カメラモジュール２００の端子と弾性接触する複数のコンタクト５とを具備し、第１カメラモジュール１００の収容時には、必要に応じてモジュール用コネクタ１の外側に第１シールドケース１０を固定する。【選択図】  図１
2006294444.tif 000002
【特許請求の範囲】
【請求項１】
カメラモジュールとモジュール用コネクタの接続構造であって、前記カメラモジュールは少なくとも大小２つの第１、第２カメラモジュール（１００）（２００）からなり、前記モジュール用コネクタは第１、第２カメラモジュール（１００）（２００）に兼用可能な１つのモジュール用コネクタ（１）であり、モジュール用コネクタ（１）は、第１カメラモジュール（１００）と接続する場合には第１カメラモジュール（１００）を収容し、第２カメラモジュール（２００）と接続する場合には第２シールドケース（２０）を介在して第２カメラモジュール（２００）を収容する収容凹部（３４）が形成された絶縁ハウジング（３）と、この絶縁ハウジング（３）に固定され、第１カメラモジュール（１００）を収容凹部（３４）に収容した場合には第１カメラモジュール（１００）の端子（１０８〜１０８）と弾性接触し、第２シールドケース（２０）を介在して第２カメラモジュール（２００）を収容凹部（３４）に収容した場合には第２カメラモジュール（２００）の端子（２０９〜２０９）と弾性接触する複数のコンタクト（５）とを具備してなることを特徴とするカメラモジュールとモジュール用コネクタの接続構造。
【請求項２】
モジュール用コネクタ（１）は絶縁ハウジング（３）に固定された接地コンタクト（７）を具備し、絶縁ハウジング（３）は、上方を開口した収容凹部（３４）を有する桝形状に形成され、接地コンタクト（７）は、絶縁ハウジング（３）の側板（３２、３３、３２、３３）の外面側に沿って支持された支持片部（７１、８１、７１、８１）と、支持片部（７１、７１）の上縁に連設され収容凹部（３４）内へ折り曲げられて先端側を接触部（７４ａ〜７５ａ、７４ａ〜７５ａ）とするバネ片部（７４〜７５、７４〜７５）とを具備し、バネ片部（７４〜７５、７４〜７５）の接触部（７４ａ〜７５ａ、７４ａ〜７５ａ）は、収容凹部（３４）に収容された第１カメラモジュール（１００）に対しては第１カメラモジュール（１００）に当接して抜け止めになるとともに第１カメラモジュール（１００）の接地端子（１０７）に弾性接触し、第２カメラモジュール（２００）とともに収容凹部（３４）に収容された第２シールドケース（２０）に対しては第２シールドケース（２０）に当接して抜け止めとなるように形成されていることを特徴とする請求項１記載のカメラモジュールとモジュール用コネクタの接続構造。
【請求項３】
第２シールドケース（２０）には、第２カメラモジュール（２００）に形成された係合孔（２０８〜２０８）に係合、係止する膨出部（２７〜２７）が形成されていることを特徴とする請求項２記載のカメラモジュールとモジュール用コネクタの接続構造。  
【請求項４】
第１カメラモジュール（１００）の端子（１０８〜１０８）と第２カメラモジュール（２００）の端子（２０９〜２０９）は、それぞれのモジュール基台（１０１）、（２０１）の底面側に略同一の大きさ及び配列で形成されていることを特徴とする請求項１、２又は３記載のカメラモジュールとモジュール用コネクタの接続構造。
【発明の詳細な説明】
【技術分野】
【０００１】
本発明は、カメラモジュールとカメラモジュール用コネクタ（以下単にモジュール用コネクタという。）の接続構造に関するものである。
詳しくは、少なくとも大小２種類のカメラモジュールに対して１つのモジュール用コネクタを兼用できるようにするための、カメラモジュールとモジュール用コネクタの接続構造に関するものである。
【背景技術】
【０００２】
従来、カメラモジュールをプリント配線基板に実装するために用いられるモジュール用コネクタは、例えば、カメラモジュールを収容するための収容凹部が形成された絶縁ハウジングと、この絶縁ハウジングに固定された複数のコンタクトとを具備し、収容凹部に収容されたカメラモジュールの端子にコンタクトの接触部を弾性接触させることにより電気的な接続をしていた（例えば、特許文献１、２参照）
【特許文献１】特開２００４−６３４２５
【特許文献２】特開２００４−６３７８７
【発明の開示】
【発明が解決しようとする課題】
【０００３】
しかしながら、前述の従来例では、モジュール用コネクタの収容凹部に１種類のカメラモジュールしか収容できないので、大きさの異なる大小２種類のカメラモジュールに対しては、それぞれに対応した別個のモジュール用コネクタが必要になるという問題点があった。
【０００４】
本発明は上述の問題点に鑑みなされたもので、少なくとも大小２つのカメラモジュールに対して１つのモジュール用コネクタを兼用することのできる、カメラモジュールとモジュール用コネクタの接続構造を提供することを目的とするものである。         
【課題を解決するための手段】
【０００５】
請求項１記載の発明は、カメラモジュールとモジュール用コネクタの接続構造であって、前記カメラモジュールは少なくとも大小２つの第１，第２カメラモジュールからなり、前記モジュール用コネクタは前記第１、第２カメラモジュールに兼用可能な１つのモジュール用コネクタであり、前記モジュール用コネクタは、前記第１カメラモジュールと接続する場合には前記第１カメラモジュールを収容し、前記第２カメラモジュールと接続する場合には第２シールドケースを介在して前記第２カメラモジュールを収容する収容凹部が形成された絶縁ハウジングと、前記絶縁ハウジングに固定され、前記第１カメラモジュールを前記収容凹部に収容した場合には前記第１カメラモジュールの端子と弾性接触し、前記第２シールドケースを介在して前記第２カメラモジュールを前記収容凹部に収容した場合には前記第２カメラモジュールの端子と弾性接触する複数のコンタクトとを具備してなることを特徴とする。
【０００６】
請求項２記載の発明は、請求項１記載の発明において、モジュール用コネクタが絶縁ハウジングに固定された接地コンタクトを具備し、前記絶縁ハウジングが上方を開口した収容凹部を有する桝形状に形成され、前記接地コンタクトが、前記絶縁ハウジングの側板の外面側に沿って支持された支持片部と、前記支持片部の上縁に連設され前記収容凹部内へ折り曲げられて先端側を接触部とするバネ片部とを具備し、前記バネ片部の接触部は、前記収容凹部に収容された第１カメラモジュールに対しては前記第１カメラモジュールに当接して抜け止めになるとともに前記第１カメラモジュールの接地端子に弾性接触し、第２カメラモジュールとともに前記収容凹部に収容された第２シールドケースに対しては前記第２シールドケースに当接して抜け止めとなるように形成されていることを特徴とする。
【０００７】
請求項３記載の発明は、請求項２記載の発明において、第２シールドケースには、第２カメラモジュールに形成された係合孔に係合、係止する膨出部が形成されていることを特徴とする。   
【０００８】
請求項４記載の発明は、請求項１、２又は３記載の発明において、第１カメラモジュールの端子と第２カメラモジュールの端子は、それぞれのモジュール基台の底面側に略同一の大きさ及び配列で形成されていることを特徴とする。
【発明の効果】
【０００９】
請求項１記載の発明は、カメラモジュールとモジュール用コネクタの接続構造において、第１カメラモジュールと接続する場合には、絶縁ハウジングの収容凹部に第１カメラモジュールを収容して第１カメラモジュールの端子をコンタクトに弾性接触させ、第２カメラモジュールと接続する場合には、第２シールドケースを介在して絶縁ハウジングの収容凹部に第２カメラモジュールを収容し、第２カメラモジュールの端子をコンタクトに弾性接触させるとともに絶縁ハウジングと第２カメラモジュールの間に第２シールドケースを介在させる構成としたので、少なくとも大小２つの第１、第２カメラモジュールに対して、１つのモジュール用コネクタを兼用することができる。
さらに、モジュール用コネクタに第２カメラモジュールを接続する場合に、第２シールドケースを絶縁ハウジングの収容凹部内に設けるように構成したので、モジュール用コネクタのプリント配線基板上に占める面積を小さくすることができる。  
【００１０】
請求項２記載の発明は、請求項１記載の発明において、絶縁ハウジングが桝形状に形成され、絶縁ハウジングに固定された接地コンタクトが、絶縁ハウジングの側板の外面側に沿って支持された支持片部と、先端側が収容凹部内へ折り曲げられて接触部とするバネ片部とを具備し、バネ片部の接触部が収容凹部に収容された第１カメラモジュールに対しては抜け止めになるとともに第１カメラモジュールの接地端子に弾性接触し、第２カメラモジュールとともに収容凹部に収容された第２シールドケースに対しては第２シールドケースに当接して抜け止めとなるように形成されているので、第１カメラモジュールを収容凹部に収容してモジュール用コネクタと接続する場合には、第１カメラモジュールが収容凹部から抜け出るのを接地コンタクトによって止めることができ、第２シールドケースを介して第２カメラモジュールを収容凹部に収容してモジュール用コネクタと接続する場合には、第２カメラモジュールが収容凹部から抜け出るのを第２シールドケースを介在した接地コンタクトによって止めることができる。このため、第１、第２カメラモジュールを抜け止めするための構成を簡単にすることができる。
【００１１】
請求項３記載の発明は、請求項２記載の発明において、第２シールドケースに第２カメラモジュールの係合孔に係合、係止する膨出部が形成されているので、第２カメラモジュールと第２シールドケースの係止構造を簡単にすることができる。   
【００１２】
請求項４記載の発明は、請求項１、２又は３記載の発明において、第１カメラモジュールの端子と第２カメラモジュールの端子がそれぞれのモジュール基台の底面側に略同一の大きさ及び配列で形成されているので、モジュール用コネクタの絶縁ハウジングに固定される複数のコンタクトの構成を簡単にすることができる。
【実施例】
【００１３】
図１〜図２１は本発明の一実施例を示すもので、これらの図において、１はカメラモジュール用コネクタ（以下単にモジュール用コネクタという。）、１０は第１シールドケース、２０は第２シールドケース、１００は第１カメラモジュール、２００は第２カメラモジュール、３００はプリント配線基板で、第１カメラモジュール１００は第２カメラモジュール２００より外形寸法が大きく形成されている。
【００１４】
モジュール用コネクタ１は、第１、第２カメラモジュール１００、２００を収容するための収容凹部３４が形成された絶縁ハウジング３と、絶縁ハウジング３に保持された複数のコンタクト５と、接地コンタクト７とで構成されている。
第１シールドケース１０は、モジュール用コネクタ１の収容凹部３４に第１カメラモジュール１００を収容する場合に、必要に応じて絶縁ハウジング３の外側に装着され、第２シールドケース２０は、モジュール用コネクタ１の収容凹部３４に第２カメラモジュール２００を収容する場合に、第２カメラモジュール２００の外側と収容凹部３４の内側の間に装着されるものである。
【００１５】
絶縁ハウジング３は、絶縁性合成樹脂で成形されたもので、図４〜図８にも示すように、略正方形板状の底板３１と、この底板３１の４辺から一体に立設された略矩形板状の側板３２、３３、３２、３３とを具備し、上方を開口した収容凹部３４を有する桝形状に形成されている。
【００１６】
各側板３２、側板３３の内側面には、図８（ｂ）に示すように、コンタクト５を所定のピッチで取り付けるためのコンタクト取付溝３５が垂直方向に沿って形成され、このコンタクト取付溝３５の下側はコンタクト５の接続片部５３を底面側に導出するために底板３１を貫通している。
底板３１には、コンタクト５のバネ片部５２を収容可能な貫通孔３６が形成され、この貫通孔３６は、コンタクト取付溝３５に連通するとともにコンタクト取付溝３５と略垂直となる方向に沿って形成されている。
【００１７】
各側板３２、側板３３の上面の両側には、接地コンタクト７の係止片部７２，７２、８２，８２を係止するための係合凹部３７，３７、３７，３７が形成されている。
【００１８】
一方の対向する側板３２、３２（図４では左右の側板３２、３２）には、その上面の中央部に位置して係合段部３８、３８が形成され、その両側と係合凹部３７の間には、図８（ａ）に示すようなガイド溝３９，３９、３９，３９が形成され、その外側面には係止突起４１，４１、４１，４１が形成されている。
ガイド溝３９は、図１及び図８（a）に示すように、側板３２の上面側から内面側へ向けて連続して形成されている。
【００１９】
他方の対向する側板３３、３３の一方（図４では上側の側板３２）の内面側には、第１、第２カメラモジュール１００、２００を位置決めして収容凹部３４内に収容するための位置決め凹部４２が形成されている。
【００２０】
コンタクト５は、燐青銅のような導電性金属板（例えば厚さが０．１２ｍｍの金属板）の打ち抜き、折り曲げ加工で形成されたもので、図８（ｂ）に示すように、コンタクト取付溝３５に圧入係止された固定片部５１と、固定片部５１の一端側に連設されて先端側が収容凹部３４内に向って傾斜するように片持支持された略Ｓ字状のバネ片部５２と、固定片部５１の他端側に略直角に折り曲げて連設された接続片部５３とからなり、バネ片部５２の先端部には補強ビードで補強された接触部５５が形成され、接続片部５３の下側部分は底板３１の底面側に突出している。
【００２１】
接地コンタクト７は、燐青銅のような導電性金属板（例えば厚さが０．１５ｍｍの金属板）の打ち抜き、折り曲げ加工等で形成されたもので、図４〜図８に示すように、側板３２、３２の外側に固定された略長方形板状の支持片部７１、７１と、側板３３、３３の外側に固定された略長方形板状の支持片部８１、８１とを具備し、これらの支持板部７１、８１、７１、８１は正方形枠形状に連結されている。
【００２２】
支持片部７１の上縁には、両側部に位置して側板３２の係合凹部３７、３７に係止する係止片部７２、７２が連設され、中央部に位置して側板３２の係合段部３８に係合する係合片部７３が連設され、両側部と中央部の間には、バネ片部７４，７５、７４，７５が連設されている。
係止片部７２は、支持片部７１の上縁から内側へ向けて折り曲げて係合凹部３７に係止可能な略逆Ｕ字状に形成され、係合片部７３は、支持片部７１の上縁から内側へ略直角に折り曲げて係合段部３８に係合可能に形成されている。
バネ片部７４，７５は、支持片部７１で片持梁状に支持され、図８（a）に示すように、支持片部７１の上縁から内側へ折り曲げてガイド溝３９に案内され、先端側が傾斜して収容凹部３４内へ突出するように形成されている。バネ片部７４，７５の先端側には接触部７４a、７５aが形成され、一方の接触部７４aは他方の接触部７５aより若干長く形成されている。
【００２３】
支持片部７１の両側縁には、隣接する支持片部８１、８１と連結するための係合片７６、７６が連設されている。
支持片部７１の中央部には、図７に示すように、側板３２の係止突起４１、４１を係止するための係合孔７７、７７が形成されるとともに、第１シールドケース１０と係合するための係合孔７８〜７８が所定ピッチで形成されている。
支持片部７１の下縁の両側には、下方へ向けて接続片部７９、７９が突設されている。
【００２４】
支持片部８１の上縁の両側部には、側板３３の係合凹部３７、３７と係止する係止片部８２、８２が連設されている。
支持片部８１の両側縁には、隣接する支持片部７１、７１の係合片７６、７６と係合して支持片部７１、７１と連結する係合片８３、８３が連設されている。
支持片部８１の中央部には、長手方向に沿って所定ピッチで係合孔８５〜８５が形成されている。
支持片部８１の下縁の両側には、下方へ向けて接続片部８６、８６が突設されている。
【００２５】
第１、第２シールドケース１０、２０は、燐青銅のような導電性金属板（例えば厚さが０．２ｍｍの金属板）の打ち抜き、折り曲げ加工で形成されたもので、前述のように、モジュール用コネクタ１の収容凹部３４に第１カメラモジュール１００を収容する場合には、一方の第１シールドケース１０がモジュール用コネクタ１の外側に装着され、モジュール用コネクタ１の収容凹部３４に第２カメラモジュール２００を収容する場合には、他方の第２シールドケース２０が第２カメラモジュール２００の外側と収容凹部３４の内側の間に装着される。
【００２６】
第１シールドケース１０は、図９〜図１３に示すように、略正方形板状の天板１１と、この天板１１の４辺から下方へ略直角に折り曲げて連設された略矩形板状の側板１２、１３、１２、１３とを具備し、一方の対向する側板１２、１２の両側には、他方の対向する側板１３、１３側へ略直角に折り曲げられた折曲片１４，１４、１４，１４が連設されている。
天板１１の中央部には、第１カメラモジュール１００のモジュール本体１０３を貫通するための貫通孔１６が穿設されている。
側板１２、１３には、接地コンタクト７の支持片部７１、８１の係合孔７８〜７８、８５〜８５に係合、係止する膨出部１７〜１７、１７〜１７が所定ピッチで内側に膨出して形成されている。
【００２７】
第２シールドケース２０は、図１４〜図１８に示すように、略正方形板状の天板２１と、この天板２１の４辺から下方へ略直角に折り曲げて連設された略矩形状の側板２２、２３、２２、２３とを具備している。
一方の対向する側板２２、２２の両側の一部には、他方の対向する側板２３、２３側へ略直角に折り曲げらて折曲片２４，２４、２４，２４が連設され、側板２２には、第２カメラモジュール２００の位置決め突部の逃げとなる切欠き２５が形成されている。
天板２１の中央部には、第２カメラモジュール２００のモジュール本体１０３を貫通するための貫通孔２６が穿設されている。
側板２２、２３には、第２カメラモジュール２００の接地端子２０７の係合孔２０８〜２０８と係合、係止するための膨出部２７〜２７、２７〜２７が、切欠き２５のある部分を除いて、所定ピッチで内側に膨出して形成されている。
【００２８】
第１カメラモジュール１００は、図１９に示すように、モジュール基台１０１と、このモジュール基台１０１の上に設けられたモジュール本体１０３とを具備し、モジュール基台１０１にはＩＣ等を実装した基板が内蔵され、モジュール本体１０３にはカメラやモータが内蔵されている。
モジュール基台１０１の一側面には位置決め突起１０５が突設され、モジュール基台１０１の四隅上部には、切欠き段部１０６〜１０６が形成され、この切欠き段部１０６〜１０６の外側面には接地端子１０７〜１０７が形成されている。
モジュール基台１０１の底面には、第１カメラモジュール１００がモジュール用コネクタ１の収容凹部３４に収容された場合に、接地コンタクト７の接触部５５〜５５に接触する接触パッド１０８〜１０８が所定配列で形成されている。
【００２９】
第２カメラモジュール２００は、図２０に示すように、モジュール基台２０１と、このモジュール基台２０１の上に設けられたモジュール本体２０３とを具備し、モジュール基台２０１にはＩＣ等を実装した基板が内蔵され、モジュール本体２０３にはカメラやモータが内蔵されている。
モジュール基台２０１の一側面には位置決め突起２０５が突設され、モジュール基台２０１の外周面には、位置決め突起２０５のある部分を除いて、略帯状に形成された接地端子２０７が接触面を露出して埋設されている。
【００３０】
接地端子２０７には、位置決め突起２０５のある部分を除いて、第２カメラモジュール２００がモジュール用コネクタ１の収容凹部３４に収容された場合に、第２カメラモジュール２００と収容凹部３４の間に介在する第２シールドケース２０の膨出部２７〜２７と係合、係止する係合孔２０８〜２０８が穿設されている。
モジュール本体２０３の底面には、第２カメラモジュール２００が第２シールドケース２０を介在して収容凹部３４に収容された場合に、接地コンタクト７の接触部５５〜５５に接触する接触パッド２０９〜２０９が所定配列で形成されている。
この第２カメラモジュール２００の接触パッド２０９〜２０９は、これに限るものではないが、第１カメラモジュール１００の接触パッド１０８〜１０８と略同一形状、同一配列に形成されている。
【００３１】
つぎに、図４〜図８に示すように形成されたモジュール用コネクタ１をプリント配線基板３００に実装し、その後モジュール用コネクタ１の収容凹部３４に第１カメラモジュール１００（又は第２カメラモジュール２００）を収容する場合について説明する。
【００３２】
まず、モジュール用コネクタ１のプリント配線基板３００への実装につき、図２１を併用して説明する。
（１）図２１に示すようなプリント配線基板３００上に形成された信号用接続パッド３０１〜３０１と、接地用接続パッド３０３〜３０３、３０５〜３０５の上にクリーム半田を塗布し、これらの接続パッド３０１〜３０１、３０３〜３０３、３０５〜３０５とモジュール用コネクタ１の対応するコンタクト５の接続片部５３〜５３、接地コンタクト７の接続片部７９〜７９、８６〜８６とが重なるように位置決めして、プリント配線基板３００上にモジュール用コネクタ１を載置する。
【００３３】
（２）ついで、リフロー装置で接続パッド３０１〜３０１、３０３〜３０３、３０５〜３０５と接続片部５３〜５３、７９〜７９、８６〜８６とを半田付けすることにより、モジュール用コネクタ１のコンタクト５〜５と接地コンタクト７がプリント配線基板３００の対応する回路パターンと電気的に接続される。
【００３４】
つぎに、プリント配線基板３００上に実装されたモジュール用コネクタ１に第１カメラモジュール１００を接続する場合について説明する。
（１）まず、モジュール用コネクタ１の収容凹部３４に第１カメラモジュール１００を収容する。このとき、第１カメラモジュール１００の位置決め突起１０５をモジュール用コネクタ１の位置決め凹部４２に係合することにより、位置決めされる。
また、第１カメラモジュール１００が収容凹部３４内の所定位置まで押し込まれると、図１（a）に示すように、接地コンタクト７のバネ片部７４，７５〜７４，７５が弾性変形して第１カメラモジュール１００の対応する切欠き段部１０６〜１０６に係合して第１カメラモジュール１００を抜け止めするとともに、第１カメラモジュール１００の対応する接地端子１０７〜１０７に弾性接触して電気的に接続される。
また、第１カメラモジュール１００の収容凹部３４内への押し込みにより、コンタクト５のバネ片部５２が押圧変形し、接触部５５が第１カメラモジュール１００の対応する接触パッド１０８に弾性接触して電気的に接続される。
【００３５】
（２）ついで、モジュール用コネクタ１の外側に第１シールドケース１０を装着する。
このとき、側板１２，１２、１３，１３の膨出部１７〜１７、１７〜１７が対応する支持片部７１，７１、８１，８１の係合孔７８〜７８、８５〜８５に係合、係止することにより、第１シールドケース１０がモジュール用コネクタ１の外側に固定されるとともに、接地コンタクト７を介してプリント配線基板３００の対応する回路パターン（接地側）に電気的に接続される。このため、支持片部７１，７１、８１，８１と第１シールドケース１０の係止構造を簡単にすることができる。
また、第１カメラモジュール１００のモジュール本体１０３の上部は第１シールドケース１０の貫通孔１６を介して外へ突出する。
【００３６】
つぎに、プリント配線基板３００上に実装されたモジュール用コネクタ１に第２カメラモジュール２００を接続する場合について説明する。
（１）まず、モジュール用コネクタ１の収容凹部３４に第２カメラモジュール２００を収容する。このとき、第２カメラモジュール２００の位置決め突起２０５をモジュール用コネクタ１の位置決め凹部４２に係合することにより位置決めされる。       
【００３７】
（２）ついで、第２カメラモジュール２００の外側と収容凹部３４の内側との間に第２シールドケース２０を挿入する。
このように、第２シールドケース２０を介在してモジュール用コネクタ１の収容凹部３４に第２カメラモジュール２００が収容されると、コンタクト５のバネ片部５２が押圧変形し、接触部５５が第２カメラモジュール２００の対応する接触パッド２０９に弾性接触して電気的に接続される。
また、第２カメラモジュール２００のモジュール本体２０３の上部は、第２シールドケース２０の貫通孔２６を介して外へ突出する。
このとき、側板２２，２２、２３，２３の膨出部２７〜２７、２７〜２７が接地端子２０７の対応する係合孔２０８〜２０８、２０８〜２０８に係合、係止することにより第２シールドケース２０が第２カメラモジュール２００の外側に固定される。
同時に、図１（ｂ）に示すように支持片部７１、７１のバネ片部７４，７４、７５，７５、７４，７４、７５，７５が弾性変形して第２シールドケース２０の側板２３、２３に弾性接触して電気的に接続されるとともに、一方のバネ片部７４〜７４の接触部７４a〜７４aの先端が折曲片２４〜２４の上端面に当接し、他方のバネ片部７５〜７５とともに抜け止めになる。
【００３８】
前記実施例では、第１、第２カメラモジュールの２つのカメラモジュールに対して１つのモジュール用コネクタを兼用できるようにした場合を説明したが、本発明はこれに限るものでなく、３つ以上のカメラモジュールに対して１つのモジュール用コネクタを兼用できるように構成した場合についても利用することができる。
例えば、第１カメラモジュールより小さく第２カメラモジュールより大きな第３カメラモジュール、又は第２カメラモジュールより小さな第３カメラモジュールに対しても兼用できるようにするために、モジュール用コネクタの収容凹部が、第３シールドケースを介在して第３カメラモジュールを収容できるように形成され、モジュール用コネクタの複数のコンタクトが、収容凹部に収容された第３カメラモジュールの端子と弾性接触できるように形成されている場合についても利用することができる。
【図面の簡単な説明】
【００３９】
【図１】本発明の一実施例を示すもので、（a）は第１カメラモジュール１００とモジュール用コネクタ１の接続構造を示す断面図（図２のAーA線断面図に相当する。）、（ｂ）は第２カメラモジュール２００とモジュール用コネクタ１の接続構造を示す断面図である。
【図２】図１（a）において第１カメラモジュール１００及びプリント配線基板３００の図示を省略した平面図である。
【図３】図２の正面図である。
【図４】モジュール用コネクタ１の平面図である。
【図５】モジュール用コネクタ１の正面図である。
【図６】モジュール用コネクタ１の底面図である。
【図７】モジュール用コネクタ１の側面図である。
【図８】モジュール用コネクタ１の断面を示すもので、（a）は図４のＡ−Ａ線断面図、（ｂ）は図４のＢ−Ｂ線断面図である。
【図９】第１シールドケース１０の平面図ある。
【図１０】第１シールドケース１０の正面図である。
【図１１】第１シールドケース１０の底面図である。
【図１２】第１シールドケース１０の側面図である。
【図１３】第１シールドケース１０の断面を示すもので、（a）は図１０のＡ−Ａ線断面図、（ｂ）は図１０のBーB線断面図である。
【図１４】第２シールドケース２０の平面図である。
【図１５】第２シールドケース２０の正面図である。
【図１６】第２シールドケース２０の底面図である。
【図１７】第２シールドケース２０の側面図である。
【図１８】第２シールドケース２０の断面を示すもので、（a）は図１４のＡ−Ａ線断面図、（ｂ）は図１４のBーB線断面図である。
【図１９】第１カメラモジュール１００を示すもので、（a）は平面図、（ｂ）は正面図、（ｃ）は底面図である。
【図２０】第２カメラモジュール２００を示すもので、（a）は平面図、（ｂ）は正面図、（ｃ）は底面図である。
【図２１】プリント配線基板３００の一部を示す平面図である。
【符号の説明】
【００４０】
１…モジュール用コネクタ
３…絶縁ハウジング
５…コンタクト       
７…接地コンタクト
１０…第１シールドケース
１７…膨出部
２０…第２シールドケース
２７…膨出部  
３４…収容凹部
５２…バネ片部  
５５…接触部
７１，８１…支持板部
７４，７５…バネ片部
７４ａ，７５ａ…接触部
７８，８５…係合孔
１００…第１カメラモジュール
１０７…接地端子
１０８…接続パッド（端子の一例）
２００…第２カメラモジュール
２０８…係合孔
２０９…接続パッド（端子の一例）
【図１】
2006294444.tif 000003
【図２】
2006294444.tif 000004
【図３】
2006294444.tif 000005
【図４】
2006294444.tif 000006
【図５】
2006294444.tif 000007
【図６】
2006294444.tif 000008
【図７】
2006294444.tif 000009
【図８】
2006294444.tif 000010
【図９】
2006294444.tif 000011
【図１０】
2006294444.tif 000012
【図１１】
2006294444.tif 000013
【図１２】
2006294444.tif 000014
【図１３】
2006294444.tif 000015
【図１４】
2006294444.tif 000016
【図１５】
2006294444.tif 000017
【図１６】
2006294444.tif 000018
【図１７】
2006294444.tif 000019
【図１８】
2006294444.tif 000020
【図１９】
2006294444.tif 000021
【図２０】
2006294444.tif 000022
【図２１】
2006294444.tif 000023